(57)【要約】      （修正有）【課題】ファックス画質と印刷画質とを設定可能で、ネットワークが伝送する画像データ量を必要最低限に抑え、一度の操作でファックス送信と印刷が行えるファクシミリ通信システムを提供する。【解決手段】情報処理装置１６と接続されたファクシミリ装置１が、ファックス送信命令及び印刷命令とともに、共通の画像データを受け、ファックス送信と同時に印刷を行うファクシミリ通信システムにおいて、ファックス送信命令は、複数のファックス画質モードから択一的に選択された解像度で表されるファックス送信指定画質の指示を含むとともに、印刷命令は、印刷画質モードが１つの場合はその解像度で、印刷画質モードが複数の場合はその中から択一的に選択された解像度で表される印刷指定画質の指示を含み、画像データの解像度は、ファックス送信指定画質の解像度以上で、且つ印刷指定画質の解像度以上に情報処理装置１６によってビットマップ化される。【選択図】図２
2005026774.tif 000002
【特許請求の範囲】
【請求項１】
情報処理装置と通信媒体を介して接続されたファクシミリ装置が、前記情報処理装置からファックス送信命令及び印刷命令とともに、ファックス送信用と印刷用の共通の画像データを受け、その画像データをもとにファックス送信と同時に印刷を行うファクシミリ通信システムにおいて、
前記ファックス送信命令は、前記情報処理装置上で複数のファックス画質モードから択一的に選択された主走査解像度（ｄｐｉ、ｄｏｔｓ  ｐｅｒ  ｉｎｃｈ）と副走査解像度（ｄｐｉ、ｄｏｔｓ  ｐｅｒ  ｉｎｃｈ）とで表されるファックス送信指定画質の指示を含むとともに、前記印刷命令は、前記情報処理装置上で印刷画質モードが１つの場合はその印刷画質モードの主走査解像度と副走査解像度とで表される印刷指定画質の指示を含み、前記情報処理装置上で印刷画質モードが複数の場合はそれらの印刷画質モードから択一的に選択された主走査解像度と副走査解像度とで表される印刷指定画質の指示を含み、前記画像データの主走査解像度と副走査解像度はそれぞれが、前記ファックス送信指定画質の１００ｄｐｉ単位に四捨五入された主走査解像度及び副走査解像度以上で、且つ前記印刷指定画質の主走査解像度及び副走査解像度以上になるように前記情報処理装置によってビットマップ化されることを特徴とするファクシミリ通信システム。
【請求項２】
前記情報処理装置によってビットマップ化された前記画像データの主走査解像度及び副走査解像度は、主走査解像度及び副走査解像度が１００ｄｐｉ単位に四捨五入された前記複数のファックス画質モード、或いは前記１つ以上の印刷画質モードのいずれかと同じであることを特徴とする請求項１に記載のファクシミリ通信システム。
【請求項３】
前記情報処理装置によってビットマップ化された前記画像データの主走査解像度及び副走査解像度は、主走査解像度及び副走査解像度が１００ｄｐｉ単位に四捨五入された前記複数のファックス画質モード、或いは前記１つ以上の印刷画質モードのいずれかと同じで、且つその中で主走査解像度と副走査解像度とも最小のものであることを特徴とする請求項１に記載のファクシミリ通信システム。
【請求項４】
前記ビットマップ化された画像データは、情報処理装置によって符号化（圧縮）されてファクシミリ装置に送出されることを特徴とする請求項１乃至請求項３のいずれかに記載のファクシミリ通信システム。
【請求項５】
前記通信媒体はＬＡＮ（ローカルエリアネットワーク）であることを特徴とする請求項１乃至請求項４のいずれかに記載のファクシミリ通信システム。
【発明の詳細な説明】
【０００１】
【発明の属する技術分野】
本発明は、情報処理装置から伝送される高解像度の画像データを受けて、それぞれ異なる解像度でファックス送信と印刷出力を行うファクシミリ装置を含むファクシミリ通信システムに関する。
【０００２】
【従来の技術】
ネットワーク化の拡大に伴って、ファクシミリ装置も従来のように独立して使用されるスタンドアローン型のみならず、情報処理装置に接続される形態が増加している。こうしてネットワークに接続されたファクシミリ装置は、複数の情報処理装置から送出される画像データと送信要求とを受けてファックス送信が行える、いわゆるネットワーク対応ファクシミリ装置と呼ばれている。
【０００３】
こうしたネットワーク対応ファクシミリ装置を介して情報処理装置からファックス送信を行った場合、送信の控えとして、或いは送信の確認として送信先へ別途郵送などするために、ファックス送信した画像データを別にプリンタで印刷する頻度が高い。すなわち、ファックス送信操作と印刷操作を別々に行う必要があった。そのため、作業に時間がかかったり、或いは印刷を忘れたりして、作業効率の低下の招く原因にもなっていた。さらに、同じ原稿のデータをファクシミリ装置とプリンタにそれぞれ伝送していたので、ネットワークの通信量を増大させる要因にもなっている。
【０００４】
また、通常、ファックス送信画質とプリンタで印刷する印刷画質は異なるものであり、ファックス送信に頻繁に使用されるノーマル画質モードやファイン画質モードは、最近のプリンタが提供する印刷画質より画質（解像度）が劣っている。従って、ファクシミリ装置がファックス送信画質の画像データを受けてファックス送信と印刷の両方を行っても、その印刷画質はファックス送信画質と同じものであり、別のプリンタで印刷するより劣ったものになる。
【０００５】
特許文献１は、上記の問題を解決するために、情報処理装置からファクシミリ装置を介してファックス送信と印刷を行うために、１）情報処理装置からファクシミリ装置に、ファックス画質の画像データとファックス送信・印刷命令を伝送し、ファクシミリ装置でファックス画質によるファックス送信と印刷とを行う方法と、２）情報処理装置からファクシミリ装置に、ファックス画質の画像データとファックス送信命令、更に印刷画質の画像データと印刷命令を伝送し、ファクシミリ装置でファックス画質によるファックス送信と印刷画質による印刷とを行う方法と、３）情報処理装置からファクシミリ装置に、印刷画質の画像データとファックス送信・印刷命令を伝送し、ファクシミリ装置でファックス画質によるファックス送信と印刷画質による印刷とを行う方法を提案している。
【０００６】
【特許文献１】
特開２００１−１５６９７６号公報
【０００７】
【発明が解決しようとする課題】
しかし、特許文献１が提案する１）の方法は、ネットワークに送出される画像データは１回で済むものの、印刷画質はファックス画質と同じなので通常低画質である。２）の方法は、ファックス画質と印刷画質とがそれぞれ異なる画質で出力されるものの、画像データが２度ネットワークに送出されて通信量が大幅に増加する。３）の方法は、印刷画質の画像データに基づく印刷と、印刷画質と同じか低い画質でファックス送信が行われるが、例えば印刷画質が３００×３００ｄｐｉに設定されており、ファックス送信を４０６×３９２ｄｐｉのウルトラファイン画質で行いたい場合などは、エラーが発生するか、或いはファックスの実際の送信画質が所望の画質より悪くなるという問題が発生する可能性がある。
【０００８】
また、情報処理装置とプリンタでの処理時間の短縮、ネットワーク通信量の低減を目的に、プリント画質も複数の画質から選択できるようにすることが望ましい。特許文献１では、印刷画質に関してこのような考慮がされておらず、情報処理装置上でファックス画質と印刷画質とがそれぞれ独立して設定できないため、処理時間の短縮とネットワーク通信量の大幅な低減を図ることができないという問題がある。
【０００９】
本発明は、このような状況に鑑みなされたものであり、ファックス画質と印刷画質とをそれぞれ所望する画質に設定可能にしつつ、ネットワークが伝送する画像データ量を必要最低限に抑え、一度の操作でファックス送信と印刷が行えるファクシミリ通信システムを提供することを目的とする。
【００１０】
【課題を解決するための手段】
上記目的を達成するために、本発明では、情報処理装置と通信媒体を介して接続されたファクシミリ装置が、情報処理装置からファックス送信命令及び印刷命令とともに、ファックス送信用と印刷用の共通の画像データを受け、その画像データをもとにファックス送信と同時に印刷を行うファクシミリ通信システムにおいて、ファックス送信命令は、情報処理装置上で複数のファックス画質モードから択一的に選択された主走査解像度（ｄｐｉ、ｄｏｔｓ  ｐｅｒ  ｉｎｃｈ）と副走査解像度（ｄｐｉ、ｄｏｔｓ  ｐｅｒ  ｉｎｃｈ）とで表されるファックス送信指定画質の指示を含むとともに、印刷命令は、情報処理装置上で印刷画質モードが１つの場合はその印刷画質モードの主走査解像度と副走査解像度とで表される印刷指定画質の指示を含み、情報処理装置上で印刷画質モードが複数の場合はそれらの印刷画質モードから択一的に選択された主走査解像度と副走査解像度とで表される印刷指定画質の指示を含み、画像データの主走査解像度と副走査解像度はそれぞれが、ファックス送信指定画質の１００ｄｐｉ単位に四捨五入された主走査解像度及び副走査解像度以上で、且つ印刷指定画質の主走査解像度及び副走査解像度以上になるように情報処理装置によってビットマップ化される。
【００１１】
また、情報処理装置によってこのようにビットマップ化された画像データの主走査解像度及び副走査解像度は、主走査解像度及び副走査解像度が１００ｄｐｉ単位に四捨五入された複数のファックス画質モード、或いは１つ以上の印刷画質モードのいずれかと同じである。
【００１２】
更に、情報処理装置によって上記のようにビットマップ化された画像データの主走査解像度及び副走査解像度は、主走査解像度及び副走査解像度が１００ｄｐｉ単位に四捨五入された複数のファックス画質モード、或いは１つ以上の印刷画質モードのいずれかと同じで、且つその中で主走査解像度と副走査解像度とも最小のものである。
【００１３】
ビットマップ化された画像データは、情報処理装置によって符号化（圧縮）されてファクシミリ装置に送出される。
【００１４】
情報処理装置とファクシミリ装置とが接続される通信媒体はＬＡＮ（ローカルエリアネットワーク）である。
【００１５】
【発明の実施の形態】
以下、本発明の詳細を添付図面に基づいて説明する。図１は、本発明を説明するためのファクシミリ装置の例を示す概略正面図である。
【００１６】
ファクシミリ装置１は、複数のページからなる原稿を読み取るために、原稿のページを１枚ずつ自動的に給送する原稿自動送り装置２と、給送されたページを読み取って画像データに変換するスキャナ３と、操作にかかわる入力や表示が行われる操作部４と、用紙に画像を印字する印字部５と、ファクシミリ装置１の全体の制御をつかさどる制御部６とによって概略構成されている。
【００１７】
原稿自動送り装置２は、原稿のページが積層されて収納される原稿送り台７と、読み取られたページが排出収納される原稿排出部８を備えている。操作部４は、操作のための表示や通知がなされる表示部９と操作入力のための複数のキーなどを有する操作入力部１０を備えている。印字部５は、被印字媒体である用紙を収納して給紙する給紙部１１と、図示しない画像形成部と定着部などから構成される。
【００１８】
図２は、本発明のファクシミリ通信システムの例を示す模式図である。ファクシミリ装置１は、例えばローカルエリアネットワーク（ＬＡＮ）などのネットワーク１５を介して、情報処理装置１６に接続されている。尚、小規模のシステムの場合は、ファクシミリ装置１と情報処理装置１６とがＲＳ２３２Ｃ、ＩＥＥＥ１３９４、ＵＳＢ、プリンタ用パラレルなどのインターフェイスを介して１対１で直接接続されても良い。ここで、ファクシミリ装置１は、一般公衆電話回線網などの通信回線１７に接続されており、外部の送信先とファクシミリ通信を行う。
【００１９】
次に、図３に基づき、ファクシミリ装置１の電気的な構成について概略説明する。図３は、ファクシミリ装置１の主要回路のブロック図である。ファクシミリ装置１の制御部６は、制御回路であるＣＰＵ２１と、プログラムや制御データを格納するＲＯＭ２２ａと、プリンタとして使用される場合などにデータに含まれる文字データをビットマップデータに展開するためのフォントデータを格納するフォントＲＯＭ２２ｂと、作業用のデータを一時格納するＲＡＭ２３と、ファックス送信時に送信データの送信バッファメモリとしての機能を果たすフレームメモリ２４と、情報処理装置１６（図２）からの画像データを画像データとして或いはスキャナ３で読み取った原稿を画像データとして蓄積する画像メモリ２５と、該画像データが画像メモリ２５に読み込まれ、読み出される場合にそれぞれ圧縮や伸張を行い、また、フレームメモリ２４に送信データが送り込まれる場合に符号化を行い、受信時に受信したデータの復号化を行うＣＯＤＥＣ部２６と、入力される画像データの解像度（画質）をファックス送信用或いは印刷用の解像度に変換する解像度変換部２９と、スキャナ３との接続を可能にするスキャナＩ／Ｆ（インターフェイス）３ａと、原稿自動送り装置２との接続を可能にする原稿自動送り装置Ｉ／Ｆ（インターフェイス）２ａとからなっている。
【００２０】
ファクシミリ装置１は、更に、フレームメモリ２４に読み込まれた送信データを可聴信号に変換し、受信時に可聴信号を受信データに変換するモデム２７と、通信の制御を行うＮＣＵ２８と、ネットワークを介して情報処理装置１６との通信を可能にするＮＩＣ（Ｎｅｔｗｏｒｋ  Ｉｎｔｅｒｆａｃｅ  Ｃａｒｄ）３０と、図１で示した操作部４及び印字部５とを有している。
【００２１】
以上説明したファクシミリ装置１に伝送される画像データと制御命令とが作成・設定される情報処理装置１６に関して図４を参照して説明する。図４は、情報処理装置１６のデータの流れを示すブロック図である。まず原稿が所定のアプリケーションプログラム１６ａによって作成・編集される。作成された原稿をファックス送信する場合、このアプリケーションプログラム１６ａからファクシミリ装置１に出力をする操作を行う。すると、ＯＳ（Ｏｐｅｒａｔｉｎｇ  Ｓｙｓｔｅｍ）１６ｂを介して、ファックスドライバソフト１６ｃの設定画面が表示される。ここで、ファックス送信と同時に印刷に関する各種の設定を行ってから実行の操作をすると、その設定に従って原稿のデータがファックスドライバソフト１６ｃによって画像データに変換されて制御命令とともに、ＮＩＣ（Ｎｅｔｗｏｒｋ  Ｉｎｔｅｒｆａｃｅ  Ｃａｒｄ）１６ｄを介してネットワーク１５に送出され、最終的にファクシミリ装置１に入力される。
【００２２】
上記したように、情報処理装置１６からファックス送信と印刷の同時出力を行うときに、アプリケーションプログラム１６ａによって呼び出されるファックスドライバソフト１６ｃにおける設定について、図５〜図８を参照して説明する。
【００２３】
図５は、アプリケーションプログラム１６ａ上で印刷を行う時に使用される「印刷」メニューに相当する印刷画面である。印刷画面４０には、印刷（出力）する装置名を選択するボックス４１があり、出力が可能な装置がドロップダウンメニュー方式で表示されるので、この場合、ファックス送信の出力先となるファクシミリ装置１を選択する。ボックス４２は、複数のページからなる原稿の場合、出力する対象ページを選択或いは入力するボックスである。ボックス４３は、出力する原稿の部数を入力するボックスである。プロパティボタン４４を押すと、ボックス４１で選択されている出力装置特有の出力に関する詳細な設定が可能である。ＯＫボタンを押すと、後述する図７のファックス送信設定画面が表示される。
【００２４】
図６は、ファクシミリ装置１が選択された状態で、上記したプロパティボタン４４が押されると表示されるファックス設定画面である。通常、ファックス送信を行う前にそのファックス送信に係る基本的な設定が、このファックス設定画面５０で行われる。ボックス５１には、既に選択されているファクシミリ装置１が表示されている。ボックス５２は、原稿サイズを選択するボックスで、この場合は「Ａ４」サイズが選択されている。ボックス５３は、原稿の向きを選択するボックスで、「縦」が選択されている。ボックス５４は、ファックス送信画質モード（解像度）を選択するボックスである。
【００２５】
ファックス送信の解像度は、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  −  Ｔｅｌｅｃｏｍｍｕｎｉｃａｔｉｏｎ  ｓｅｃｔｏｒ）勧告に準拠したファックス画質モードに基づき、２０３（主走査）×９８（副走査）ｄｐｉのノーマルモード、２０３×１９６ｄｐｉのファインモード、２０３×３９２ｄｐｉのスーパーファインモード、４０６×３９２ｄｐｉのウルトラファインモードがある。ボックス５４は、これらの解像度の１つを択一的に選択するボックスである。この例では、ファインモード（２０３×１９６ｄｐｉ）が初期設定として選択されているが、他の解像度を選択してもよい。ファックス設定画面５０の下部にあるＯＫボタンを押すと、これまでの設定が情報処理装置１に保存され、図５で示した印刷画面４０に戻る。
【００２６】
図７は、ファックス送信設定画面６０を示している。このファックス送信設定画面６０は、図５の印刷画面４０のＯＫボタンが押されると表示され、ファックスの送信先を選択或いは入力するボックス６１があり、送信先の電話番号などを入力する。または、アドレス帳６２に示される登録済みの送信先から選択してもよい。ボックス６３は、オプション項目を設定するボックスであり、そのオプション項目と設定ボタン６４の詳細は後述する。ボックス６５は、送信元の情報を登録するボックスである。必要な項目が選択或いは入力されており、送信ボタン６６が押されると、アプリケーションプログラム１６ａで開かれている原稿のデータ（画像データ）と、これまでの設定に基づく制御命令がネットワーク１５を介してファクシミリ装置１に伝送される。この時、ボックス６３で、「同時印刷：する」と設定されていると、ファクシミリ装置１は送信先に原稿をファックス送信するとともに、用紙に印刷して出力する。
【００２７】
図８は、図７の設定ボタン６４が押されると表示されるオプション設定画面である。オプション設定画面７０は図７のボックス６３に表示される各オプション項目を設定するための画面である。ボックス７１は、タイマー予約送信を行うか否かの設定と、行う場合は予約時間を設定するためのものである。ボックス７２では、ファクシミリ装置１に伝送する原稿のデータをファクシミリ装置１の図示しない記憶装置に保存しておくか否かを設定する。ボックス７３は、原稿をファックス送信するときに付加する送付状を選択するボックスである。
【００２８】
ボックス７４は、ファクシミリ装置１でファックス送信とともに印刷を行うか否かの設定するためのボックスで、印刷を行う場合は、印刷画質モードから１つを選択する。この例の印刷画質モードは、解像度が、「２００（主走査）×２００（副走査）ｄｐｉ」、「３００×３００ｄｐｉ」、「４００×４００ｄｐｉ」、「６００×６００ｄｐｉ」からドロップダウンメニュー方式で選択可能である。特に選択されない場合の初期設定は、この例では４００×４００ｄｐｉに設定されている。印刷画質モードが１つしかなく固定されている場合は、その印刷画質モードに自動的に設定される。こうして所望する設定が行われ、画面下部のＯＫボタンが押されると、図７のファックス送信設定画面６０に表示が戻り、オプション項目の設定内容が反映される。
【００２９】
以上説明したように、情報処理装置１６からファクシミリ装置１に画像データを伝送する際に、各種設定に応じた制御命令も伝送される。その制御命令の中に、ファックス送信のみ行うか、或いは印刷も同時に行うかの命令が含まれており、これは、図８のボックス７４で設定される同時印刷をするか否かの設定によって決定される。
【００３０】
こうした各設定画面を介した設定に基づいて行われるファックス送信と印刷のデータの流れについて図９を参照して説明する。図９は、ファックス送信と印刷のデータの処理と流れを示すフローチャートである。まず、図５〜図８で示した設定が終了し、図７の送信ボタン６６が押されると、図９のＳ１（ステップ１）にあるように、ファックス送信のみか、或いはファックス送信と印刷の両方を行うのかの判断がなされる。
【００３１】
ここで、ファックス送信のみ行う設定がなされている場合、Ｓ２で、情報処理装置１６は、図６のボックス５４のファックス画質モードから択一的に選択されたファックス送信指定画質（解像度）に原稿のデータをビットマップ化して変換後、Ｓ３で、ファクシミリ装置１で使用されるのと同じ符号化手順で符号化（圧縮）して、Ｓ４で、ファクシミリ装置１に伝送すると、Ｓ５で送信先にファックス送信される。しかし、ファックス送信と印刷を行う場合は、図６と図８で示されるように、それぞれの出力の解像度が異なるため問題が生じることになる。
【００３２】
図６のボックス５４に示されるファクス画質モードと、図８のボックス７４に示される印刷画質モードを例にして説明する。尚、この説明では混乱を避けるため、図６のボックス５４に示されるファックスの画質をファックス画質モードと呼び、その中から選択されてファックスの送信時に適用される画質をファックス送信指定画質と呼ぶ。また、図８のボックス７４に示される同時印刷時に選択できる印刷画質を印刷画質モードと呼び、その中から選択されてファックスの送信と並行して行われる印刷に適用される画質を印刷指定画質と呼ぶ。
【００３３】
まずＳ１０で、情報処理装置１６からファクシミリ装置１に伝送される画像データの解像度を決めるため、複数のファックス画質モードの解像度とその中から選択されたファックス送信指定画質は、それぞれ１００ｄｐｉの単位に四捨五入される。そして、Ｓ１１で、ファックス送信指定画質の主走査解像度（１００単位）と印刷指定画質の主走査解像度の大きい方を選択してＨとする。次に、Ｓ１２で、ファックス送信指定画質の副走査解像度（１００単位）と印刷指定画質の副走査解像度の大きい方を選択してＶとする。Ｓ１３の１）のように、主走査と副走査方向にそれぞれＨとＲ以上の所定の解像度になるように決定し、その解像度で原稿データを画像データにビットマップ化する。
【００３４】
しかし、情報処理装置１のファックスドライバソフト１６ｃでは、原稿のデータを解像度に応じてビットマップ化する際、予め決められている解像度のビットマップ化は容易であるが、任意の解像度のビットマップ化を行おうとすれば、ファックスドライバソフト１６ｃの複雑さが増し、ソフトのサイズが大幅に増大することになり、また、情報処理装置１の処理負荷も増大する。そのため、好ましくは、上記のように所定の解像度を決定する場合、Ｓ１３の２）のように、予め準備されている解像度、すなわち、Ｓ１３の１）の条件を満たしつつ、且つ、その解像度は１００ｄｐｉ単位に四捨五入された複数のファックス画質モードと、印刷画質モードのいずれかと同じ解像度になるようにして原稿データをビットマップ化すればよい。
【００３５】
更に好ましくは、Ｓ１３の３）のように、Ｓ１３の２）の条件を満たしつつ、その中で主走査方向と副走査方向の解像度が最初のものを選んで決定し、その解像度で原稿データをビットマップ化するとよい。こうすれば、ビットマップ化された画像データは必要最低限度のデータ量しか有しないため、ネットワーク１５（図２）の通信量を大幅に低減することができる。
【００３６】
次に、Ｓ１４で、そのビットマップ化された画像データは符号化され、Ｓ１５でファクシミリ装置１に伝送される。ファクシミリ装置１は、受けた画像データをＳ１６で復号化し、２つの処理を行う。１つは、ファックス送信処理として、Ｓ２０で、復号化された画像データの解像度を制御命令に含まれるファックス送信指定画質の解像度に変換し、Ｓ２１でファックス送信のための符号化を行い、Ｓ２２で送信先に送信する。一方、印刷処理として、Ｓ３０で、復号化された画像データの解像度を制御命令に含まれる印刷指定画質の解像度に変換し、Ｓ３１で印刷を行う。
【００３７】
以上が、データ処理とその流れであるが、本発明の実施形態に係る情報処理装置１６からファクシミリ装置１に伝送される画像データの解像度の決定方法について、Ｓ１３の３）で示した最も好ましい例を挙げて詳細に説明する。
【００３８】
例えば、ファックス送信指定画質の解像度が２０３×３９２ｄｐｉ（スーパーファインモード）で、印刷指定画質の解像度が３００×３００ｄｐｉに設定されているとする。ファックス送信指定画質の解像度は２００×４００ｄｐｉに四捨五入される。すると、ファクシミリ装置１に伝送される画像データの解像度として、この２つの解像度の主走査解像度の大きいほうは３００ｄｐｉで、副走査解像度の大きいほうは同じく４００ｄｐｉであり、３００×４００ｄｐｉになる。
【００３９】
すなわち、ファックスドライバソフト１６ｃで設定されているファックス画質モード（１００ｄｐｉ単位に四捨五入）と印刷画質モードのうち、主走査解像度が３００ｄｐｉ以上で且つ副走査解像度が４００ｄｐｉ以上であって、主走査方向３００ｄｐｉと副走査方向４００ｄｐｉそれぞれに一番近いものは４００×４００ｄｐｉである。すなわち、情報処理装置１６は原稿データを４００×４００ｄｐｉで画像データにビットマップ化して、その後符号化し、ファクシミリ装置１に伝送すればよいことになる。
【００４０】
ファクシミリ装置１は４００×４００ｄｐｉの画像データを受けて、２０３×３９２ｄｐｉでファックス送信するために、主走査方向のデータを４００ｄｐｉから２０３ｄｐｉになるように解像度変換部２９（図３）で間引き処理を行い、副走査方向のデータも４００ｄｐｉから３９２ｄｐｉになるように解像度変換部２９で間引き処理を行う。同時に、３００×３００ｄｐｉで印刷を行うために、主走査方向のデータを４００ｄｐｉから３００ｄｐｉになるように解像度変換部２９で間引き処理を行い、副走査方向のデータも４００ｄｐｉから３００ｄｐｉになるように解像度変換部２９で間引き処理を行う。
【００４１】
また、もう１つの例として、例えば、ファックス送信指定画質の解像度が２０３×１９６ｄｐｉ（ファインモード）で、印刷指定画質の解像度が２００×２００ｄｐｉに設定されているとする。ファックス送信指定画質の解像度は２００×２００ｄｐｉに四捨五入される。すると、ファクシミリ装置１に伝送される画像データの解像度として、この２つの解像度の主走査解像度の大きいほうは２００ｄｐｉで、副走査解像度の大きいほうも同じく２００ｄｐｉであり、その結果は２００×２００ｄｐｉになる。
【００４２】
すなわち、ファックスドライバソフト１６ｃで設定されているファックス画質モード（１００ｄｐｉ単位に四捨五入）と印刷画質モードの解像度のうち、主走査解像度が２００ｄｐｉ以上で且つ副走査解像度が２００ｄｐｉ以上であって、主走査方向２００ｄｐｉと副走査方向２００ｄｐｉそれぞれに一番近いものは２００×２００ｄｐｉである。つまり、情報処理装置１６は画像データを２００×２００ｄｐｉでビットマップ化して、その後符号化し、ファクシミリ装置１に伝送すればよいことになる。
【００４３】
ファクシミリ装置１は２００×２００ｄｐｉの画像データを受けて、２０３×１９６ｄｐｉでファックス送信するために、主走査方向のデータを２００ｄｐｉから２０３ｄｐｉになるように解像度変換部２９で３ドット分の補完処理を行い、副走査方向のデータを２００ｄｐｉから１９６ｄｐｉになるように解像度変換部２９で間引き処理を行う。受けた解像度と指定された印刷解像度は同じなので、２００×２００ｄｐｉの解像度で受けた画像データは解像度変換されずそのまま印刷が行われる。
【００４４】
このように、ファックス送信と印刷を並行して行う場合であっても、ファックス送信の解像度と印刷の解像度とが賄える必要最低限の解像度で画像データをビットマップ化して、１度のみネットワーク１５（図２）上に送出するため、ネットワーク１５の通信量を大幅に抑制することが可能になる。
尚、図５〜図８に示した各種の設定画面は、本実施形態を容易に説明するための一例であり、本発明の実施にあたっては、この例に限定されないことは言うまでもない。また、図６に示したファックス画質モードの解像度は、ＩＴＵ−Ｔの勧告に含まれる解像度であるが、この解像度に特に限定されることはない。また、図８で示した印刷画質モードの解像度も説明のための一例である。
【００４５】
【発明の効果】
本発明によると、情報処理装置とネットワークとファクシミリ装置とからなるファクシミリ通信システムにおいて、ファックス送信と印刷を同時に行う場合、ファックス送信指定画質の解像度と、印刷指定画質の解像度が異なる場合であっても、両方の解像度を包括する必要最低限の解像度を決定し、その解像度で原稿データを画像データにビットマップ化してネットワークに送出するため、１回のデータ伝送ですみ、且つネットワークの通信量を押えたデータ量にすることが可能になる。また、ネットワークに送出される画像データは符号化されているので、データ量が更に低減される。
【００４６】
さらに、ファックス送信指定画質と印刷指定画質のそれぞれの解像度に最も近い解像度が決定されるため、情報処理装置でのビットマップ化時の処理負荷と、ファクシミリ装置での解像度変換時の処理負荷が低減できるという効果も奏する。
【図面の簡単な説明】
【図１】本発明を説明するためのファクシミリ装置の例を示す概略正面図である。
【図２】本発明のファクシミリ通信システムの例を示す模式図である。
【図３】ファクシミリ装置１の主要回路のブロック図である。
【図４】情報処理装置１６のデータの流れを示すブロック図である。
【図５】アプリケーションプログラム１６ａから印刷を行う時に使用される「印刷」メニューに相当する印刷画面である。
【図６】ファクシミリ装置１が選択された状態で、プロパティボタン４４が押されると表示されるファックス設定画面である。
【図７】ファックス送信設定画面６０を示す図である。
【図８】図７の設定ボタン６４が押されると表示されるオプション設定画面である。
【図９】ファックス送信と印刷のデータの処理と流れを示すフローチャートである。
【符号の説明】
１    ファクシミリ装置
２    原稿自動送り装置
３    スキャナ
４    操作部
５    印字部
６    制御部
７    原稿送り台
８    原稿排出部
９    表示部
１０  操作入力部
１１  給紙部
１５  ネットワーク
１６  情報処理装置
１６ａ  アプリケーションプログラム
１６ｂ  ＯＳ
１６ｃ  ファックスドライバソフト
１６ｄ、３０  ＮＩＣ
１７  通信回線
２１  ＣＰＵ
２２ａ  ＲＯＭ
２２ｂ  フォントＲＯＭ
２３  ＲＡＭ
２４  フレームメモリ
２５  画像メモリ
２６  ＣＯＤＥＣ部
２７  モデム
２８  ＮＣＵ
２９  解像度変換部
４０  印刷画面
４４  プロパティボタン
４１〜４３、５１〜５４、６１、６３、６５、７１〜７４      ボックス
５０  ファックス設定画面
６０  ファックス送信設定画面
６２  アドレス帳
６４  設定ボタン
６６  送信ボタン
７０  オプション設定画面
【図１】
2005026774.tif 000003
【図２】
2005026774.tif 000004
【図３】
2005026774.tif 000005
【図４】
2005026774.tif 000006
【図５】
2005026774.tif 000007
【図６】
2005026774.tif 000008
【図７】
2005026774.tif 000009
【図８】
2005026774.tif 000010
【図９】
2005026774.tif 000011